(57)【要約】【課題】リラックス効果を与えるのに適した吐水装置を提供する。【解決手段】浴槽内に水を吐き出すための吐水口が形成される吐水部材１５と、吐水口から吐き出される吐水流を照射するための照明器１７と、を有する装置本体を備え、照明器１７は、光源を含む発光部材と、発光部材を収容する収容ケース４９を有し、収容ケース４９は、上方から加わる荷重を支持するための荷重支持部６３を有し、発光部材は、荷重支持部６３に取り付けられる。【選択図】図８
2019055235.tif 000002
【特許請求の範囲】
【請求項１】
浴槽内に水を吐き出すための吐水口が形成される吐水部材と、前記吐水口から吐き出される吐水流を照射するための照明器と、を有する装置本体を備え、
前記照明器は、光源を収容する収容ケースを有し、
前記収容ケースは、上方から加わる荷重を支持するための荷重支持部を有することを特徴とする吐水装置。
【請求項２】
前記照明器は、光源を含む発光部材を更に有し、
前記発光部材は、前記荷重支持部に取り付けられることを特徴とする請求項１に記載の吐水装置。
【請求項３】
前記収容ケースは、前記浴槽内に面する側と反対の後側にて上壁部と下壁部を接続する背壁部を有し、
前記背壁部は、前記上壁部の後端より前方にずれた位置に接続されることを特徴とする請求項１または２に記載の吐水装置。
【請求項４】
前記収容ケースは、長尺状のケース本体を有し、
前記ケース本体の横断面形状は、上下を反転させて用いる場合にも、前記吐水部材に対する相対的な位置関係が保たれるように定められることを特徴とする請求項１から３のいずれかに記載の吐水装置。
【請求項５】
前記装置本体は、前記吐水部材に脱着可能に取り付けられる外装カバーを更に有し、
前記外装カバーは、前記照明器を前記浴槽内に面する側から覆うように配置されることを特徴とする請求項１から４のいずれかに記載の吐水装置。
【請求項６】
前記装置本体は、前記吐水部材に脱着可能に取り付けられる外装カバーを更に有し、
前記照明器は、前記吐水部材上に取り付けられ、
前記外装カバーは、前記照明器を上側から覆うように配置されることを特徴とする請求項１から５のいずれかに記載の吐水装置。
【請求項７】
前記吐水部材の上面と前記外装カバーの上面は、互いに面一となるように設けられることを特徴とする請求項５または６に記載の吐水装置。
【請求項８】
前記装置本体の上面には枕部材を載置可能な枕載置部が設けられることを特徴とする請求項１から７のいずれかに記載の吐水装置。
【請求項９】
請求項１〜８のいずれかに記載の吐水装置と、
前記吐水装置が取り付けられる浴槽と、を備えることを特徴とする浴槽装置。
【発明の詳細な説明】
【技術分野】
【０００１】
本発明は、水を吐き出すための吐水装置とこれを備える浴槽装置に関する。
【背景技術】
【０００２】
従来より、浴槽内に水を吐き出す吐水部材とともに、吐水流を照射する照明器を備えた吐水装置が知られている（特許文献１参照）。この吐水装置では、入浴者の肩や首に吐水流をかけてマッサージ効果を与えつつ、吐水流がかかる箇所を光らせることで独特の視覚効果を与えることができ、入浴者にリラックス効果を与えられる。
【先行技術文献】
【特許文献】
【０００３】
【特許文献１】特開２００４−２７５６２５号公報
【発明の概要】
【発明が解決しようとする課題】
【０００４】
特許文献１の吐水装置は、浴槽のリム部よりも比較的に高位置に吐水口が設けられている。このため、そこから前方に吐き出される吐水流を肩や首に浴びるためには、浴槽の内側面から離れた位置にて胴体を立てた姿勢をとることになる。この場合、その姿勢を維持できるように意識することで精神的な負担がかかるうえ、腰にも肉体的な負担がかかる。本発明者は、さらなるリラックス効果を与えるうえで、従来の吐水装置の構造に関して、改善の余地があると認識するに至った。
【０００５】
本発明は、このような課題に鑑みてなされ、その目的は、リラックス効果を与えるのに適した吐水装置を提供することにある。
【課題を解決するための手段】
【０００６】
上記課題を解決するために、本発明のある態様の吐水装置は、浴槽内に水を吐き出すための吐水口が形成される吐水部材と、吐水口から吐き出される吐水流を照射するための照明器と、を有する装置本体を備え、照明器は、光源を収容する収容ケースを有し、収容ケースは、上方から加わる荷重を支持するための荷重支持部を有する。
この態様によると、収容ケースに上方から加わる荷重に対して荷重支持部により抵抗できる。よって、装置本体上に入浴者の頭部を載せて用いる場合のように、リラックス効果を得やすい姿勢で用いる場合でも、収容ケースに加わる荷重に対する強度、耐久性を荷重支持部により確保し易くなる。このため、リラックス効果を与えるのに適した吐水装置を提供できる。
【０００７】
照明器は、光源を含む発光部材を更に有し、発光部材は、荷重支持部に取り付けられてもよい。
この態様によると、収容ケースで変形し難い荷重支持部に発光部材が取り付けられるため、発光部材に負荷が加わり難くなる。
【０００８】
収容ケースは、浴槽内に面する側と反対の後側にて上壁部と下壁部を接続する背壁部を有し、背壁部は、上壁部の後端より前方にずれた位置に接続されてもよい。
この態様によると、収容ケースの全体サイズはそのままにしつつ、上壁部と他の壁部との接続部間の距離を小さくでき、上壁部の撓み変形を抑え易くなる。
【０００９】
収容ケースは、長尺状のケース本体を有し、ケース本体の横断面形状は、上下を反転させて用いる場合にも、吐水部材に対する相対的な位置関係が保たれるように定められてもよい。
この態様によると、ケース本体を反転させて用いる場合でも、吐水部材に対するケース本体の相対的な位置関係を同じにでき、その位置関係の変化による性能の変化を抑えられる。
【００１０】
装置本体は、吐水部材に脱着可能に取り付けられる外装カバーを更に有し、外装カバーは、照明器を浴槽内に面する側から覆うように配置されてもよい。
この態様によれば、装置本体上に入浴者の頭部が載る場合でも、装置本体に浴槽内に面する側から加わる荷重を外装カバーにより受けられ、照明器に直接に負荷が加わり難くなる。
【００１１】
装置本体は、吐水部材に脱着可能に取り付けられる外装カバーを更に有し、照明器は、吐水部材上に取り付けられ、外装カバーは、照明器を上側から覆うように配置されてもよい。
この態様によれば、装置本体上に入浴者の頭部が載る場合でも、装置本体に上側から加わる荷重を外装カバーにより受けられ、照明器に直接に負荷が加わり難くなる。
【００１２】
吐水部材の上面と外装カバーの上面は、互いに面一となるように設けられてもよい。
この態様によれば、これらの表面をタオル等で拭くとき、それらの境界に突っかかりがなくなるため、清掃時の作業性が良好になる。
【００１３】
装置本体の上面には枕部材を載置可能な枕載置部が設けられてもよい。
この態様によると、入浴者は、枕部材に頭を載せてくつろいだ姿勢をとれる。この姿勢で首や肩に吐水流があたり、その吐水流により心地よい刺激が得られる。また、吐水流が照射されるため、独特の視覚効果を楽しめる。これらが相まって、入浴者にさらなるリラックス効果を与えることが可能となる。
【００１４】
本発明の別の態様は浴槽装置である。この浴槽装置は、前述の吐水装置と、吐水装置が取り付けられる浴槽と、を備える。
【発明の効果】
【００１５】
本発明によれば、リラックス効果を与えるのに適した吐水装置を提供できる。
【図面の簡単な説明】
【００１６】
【図１】実施形態に係る吐水装置の使用状態を概略的に示す側面断面図である。
【図２】実施形態に係る吐水装置の使用状態を示す斜視図である。
【図３】実施形態に係る装置本体から枕部材を取り外した状態を示す斜視図である。
【図４】図４（ａ）は実施形態に係る装置本体に枕部材を組み合わせた状態を示す正面図であり、図４（ｂ）はその分解図である。
【図５】実施形態に係る装置本体の側面断面図である。
【図６】実施形態に係る装置本体の分解斜視図である。
【図７】図７（ａ）は実施形態に係る吐水部材の平面図であり、図７（ｂ）はその正面図である。
【図８】実施形態に係る照明器の側面断面図である。
【図９】実施形態に係る照明器を吐水部材に取り付けた状態を示す部分省略平面図である。
【図１０】実施形態に係る装置本体の斜視図である。
【図１１】実施形態に係る装置本体の正面図である。
【図１２】図１２（ａ）は実施形態に係る突辺部とカバー側部の構成を示す平面断面図であり、図１２（ｂ）はこれらを組み合わせた状態を示す図である。
【図１３】実施形態に係る照明器の電気ケーブルとケーブル孔を概略的に示す図である。
【発明を実施するための形態】
【００１７】
図１は本実施形態に係る吐水装置１０の使用状態を概略的に示す側面断面図である。以下の説明ではＸＹＺ直交座標系をもとに説明する。方向Ｘ〜Ｚのそれぞれは、後述する吐出口３１の横幅方向と平行な左右方向、これに直交する水平な前後方向、鉛直な上下方向に対応する。
吐水装置１０は浴槽装置２００に用いられる。浴槽装置２００は、吐水装置１０の他に、浴槽２１０を備える。浴槽２１０の内側面には槽底面２１１に対して傾斜する背側面２１３が設けられ、背側面２１３の上側のリム部２１５には取付面２１７が設けられる。
【００１８】
吐水装置１０は、取付面２１７に取り付けられる装置本体１１と、装置本体１１の枕載置部１３（後述する）に載置される枕部材１０１と、を備える。枕部材１０１は、浴槽２１０に入る入浴者の頭部を受けて、これを支えるために用いられる。枕部材１０１は、装置本体１１に対する専用品として用いられるが、汎用品が用いられてもよい。枕部材１０１は、耐水性とともに弾力性のある素材を主体として構成される。この素材は、塩化ビニール、発泡ウレタン等の軟質合成樹脂であるが、これに限られない。枕部材１０１は、入浴者の頭部を受けるうえで適度な厚みをもち、装置本体１１とともに取付面２１７に段積みされるように取り付けられる。
【００１９】
図２は吐水装置１０の使用状態を示す斜視図であり、図３は装置本体１１から枕部材１０１を取り外した状態を示す斜視図である。
装置本体１１は横長扁平に形成され、前側の浴槽２１０内に向けて、吐出口３１から膜状の横長な吐水流Ｗが吐き出される。枕部材１０１の下部には上側に窪む嵌合凹部１０３が設けられる。嵌合凹部１０３は枕部材１０１の前面に開口する開放口１０５が設けられ、その開放口１０５を通して吐水流Ｗや照明器１７（後述する）の光が導出される。
【００２０】
図４（ａ）は装置本体１１に枕部材１０１を組み合わせた状態を示す正面図であり、図４（ｂ）はその分解図である。
嵌合凹部１０３の左右方向Ｘに対向する凹側面１０７は、いわゆる蟻溝状に形成される。つまり、上底面１０９に近づくにつれて間隔が広がるように形成される。装置本体１１の左右方向Ｘの横側面１１ａは、その上面１１ｂに近づくにつれて装置本体１１の横幅寸法が大きくなるように形成される。嵌合凹部１０３と装置本体１１は合致するような形状を有し、装置本体１１は嵌合凹部１０３内に嵌め込まれる。枕部材１０１は、装置本体１１を左右方向Ｘ両側と後側の三方から囲むとともに、その上側を覆うように設けられる。
【００２１】
図５は装置本体１１の側面断面図である。
装置本体１１の上面には枕載置部１３が設けられる。枕載置部１３は、装置本体１１の上面において、前後方向の全範囲にかけて設けられるが、浴槽２１０内に面する前側の前端から後側にかけての一部範囲にかけて設けてもよい。枕載置部１３は、入浴者の頭部や枕部材１０１を安定して支持できるように、たとえば、水平面に対して０°〜３０°の範囲の角度に設定される。また、枕載置部１３は、その角度範囲で段差無く前後方向Ｙに滑らかに連なるように形成される。
【００２２】
図６は装置本体１１の分解斜視図である。
装置本体１１は、吐水部材１５と、照明器１７と、隙間埋め部材１９と、外装カバー２１を備える。
【００２３】
図５に戻り、吐水部材１５は樹脂成形品であり、下側分割部材２３と上側分割部材２５をねじ等の固定具（図示せず）により組み付けて構成される。吐水部材１５の下部には、図５、図６に示すように、下方に突き出る導水部２７が左右方向Ｘに間隔を空けて複数設けられる。導水部２７は、浴槽２１０を挿通され、その先端部には導管２２３が接続される。導水部２７には導水路２９が内部に形成され、ポンプ（図示せず）から導管２２３を通して浴槽水が圧送される。導水部２７にはナット等の固定部材２３１がねじ込まれ、装置本体１１が浴槽２１０に固定される。
【００２４】
吐水部材１５は、横長なスリット状の吐出口３１が前部に形成され、その内部に導水路２９と吐出口３１を連通する吐出通路３３が形成される。吐出通路３３は、その横断面（図示しない）が通路高さより通路幅が大きくなるように横長に形成される。吐出通路３３は、貯溜室３５と絞り流路３７により形成される。貯溜室３５には導水路２９から流入する水が貯溜水として一時的に溜められる。絞り流路３７は、吐出通路３３の通路高さが貯溜室３５より小さくなるように形成される。貯溜水は絞り流路３７を通るときに絞られることで流速が高まり、吐出口３１から勢いよく吐水流Ｗが吐き出される。
【００２５】
図７（ａ）は吐水部材１５の平面図であり、図７（ｂ）はその正面図である。
吐水部材１５は、図５、図７（ａ）に示すように、吐出口３１が形成される前側部分３９と、前側部分３９より後側に設けられる後側部分４１とにより構成される。前側部分３９は後側部分４１より上下方向Ｚの高さ寸法が小さく、かつ、後側部分４１より左右方向Ｘの横幅寸法が僅かに小さくなる。前側部分３９上には照明載せ部４３が設けられ、その照明載せ部４３に照明器１７が取り付けられる。
【００２６】
図８は照明器１７の側面断面図である。
照明器１７は、光源４５を含む発光部材４７と、発光部材４７を収容する収容ケース４９を有する。発光部材４７は、光源４５の他に、光源４５が実装される左右方向Ｘに横長な回路基板５１を含んで構成される。光源４５はＬＥＤ（light-emitting diodes）等の点光源であり、回路基板５１に左右方向Ｘに間隔を空けて複数実装される。光源４５は白色光を発するが、白色光以外の有色光を発してもよい。発光部材４７には異なる色の有色光や白色光を発する複数の光源４５が含まれてもよい。
【００２７】
収容ケース４９は長尺状のケース本体５３を有する。ケース本体５３は、下壁部５５及び上壁部５７と、前壁部５９及び背壁部６１とにより構成される。各壁部５５、５７、５９、６１は左右方向Ｘに延在する。各壁部５５、５７、５９、６１は一体成形され、透明樹脂等の透光性材料により構成される。
【００２８】
下壁部５５及び上壁部５７は発光部材４７の上下に配置される。下壁部５５は吐水部材１５の照明載せ部４３に載せられる。前壁部５９は浴槽２１０内に面する前側にて下壁部５５と上壁部５７を接続し、背壁部６１は前側と反対の後側にて下壁部５５と上壁部５７を接続する。前壁部５９及び背壁部６１は発光部材４７の前後に配置され、収容ケース４９に上方から加わる荷重を支持する荷重支持部６３を構成する。
【００２９】
背壁部６１は、上壁部５７及び下壁部５５の後端６５より前方にずれた位置にてこれらに接続される。上壁部５７及び下壁部５５の間には背壁部６１の後方にて放熱空間６７が形成される。背壁部６１の内側部分には上下に間隔を空けて一対の溝部７１が設けられる。各溝部７１は、他の溝部７１から離れる方向に窪み、左右方向Ｘに延びるように形成される。各溝部７１内には回路基板５１の側辺部５１ａが配置され、その溝部７１と側辺部５１ａの係合により、発光部材４７が背壁部６１に取り付けられる。
【００３０】
上壁部５７は、浴槽２１０に装置本体１１が取り付けられたとき、前側に向けて下り勾配となるように傾斜する。照明載せ部４３も同様に、前側に向けて下り勾配となるように僅かに傾斜する。これにより、上壁部５７上や照明載せ部４３に水が付着しても、その勾配に沿って水が自重により流れ、浴槽２１０の取付面２１７まで排水できる。
【００３１】
ケース本体５３の長手方向に直交する断面形状、つまり、ケース本体５３の横断面形状は、前壁部５９及び背壁部６１の中点Ｐ１を通る中心線Ｌ１に対して線対称となるように形成される。ここでの中点Ｐ１とは、前壁部５９及び背壁部６１の下壁部５５や上壁部５７との接続部の間の中点をいう。言い換えると、ケース本体５３の横断面形状は、浴槽２１０内に面する前部を前側に向けた状態のまま、ケース本体５３の上下を反転させて用いる場合にも、吐水部材１５に対する相対的な位置関係が保たれるように定められる。
【００３２】
図９は照明器１７を吐水部材１５に取り付けた状態を示す部分省略平面図である。
ケース本体５３の左右方向Ｘの両端部には挿入口７３が形成される。照明器１７の組み立て時、挿入口７３を通して一対の溝部７１（図８参照）内に回路基板５１が差し込まれる。ケース本体５３の端部には挿入口７３を塞ぐ蓋部７５が設けられる。蓋部７５はケース本体５３とは別体に構成される。蓋部７５によりケース本体５３の内部空間が密閉される。
【００３３】
蓋部７５には、その後端縁からケース本体５３の長手方向外側に突き出る照明固定部７７が設けられる。照明固定部７７はケース本体５３の長手方向両側に設けられる。照明固定部７７の背面側には、図７（ｂ）、図９に示すように、吐水部材１５の照明載せ部４３から上方に延びる背面部７９が設けられ、背面部７９にはねじ孔である被固定部８１が形成される。照明固定部７７にはねじ等の固定具８３が挿通され、固定具８３の先端部は被固定部８１に螺合等により留められる。照明器１７は固定具８３により吐水部材１５に固定される。
【００３４】
以上の照明器１７では、図５に示すように、光源４５が光を発すると、その光が前壁部５９を透過し、その前面が発光する発光面８５となる。照明器１７は、発光面８５の発光により、吐出口３１から吐き出される吐水流Ｗを照射する。照明器１７の照射範囲Ｓ１は、予め定めた範囲を含むように調整される。照射範囲Ｓ１は、本例では、図１に示すように、放物線を描くように吐き出される吐水流Ｗの頂点Ｐ２を上端とし、吐水流Ｗの浴槽水への着水位置Ｐ３を下端として、これらの範囲を含むように調整される。ここでの着水位置Ｐ３とは、浴槽２１０内の浴槽水が予め定めた水位にあるときの吐水流Ｗの着水位置をいう。照射範囲Ｓ１の調整は、外装カバー２１の導出口９７（後述する）の寸法、ケース本体５３に対する発光部材４７の相対位置、吐水部材１５に対する照明器１７の相対位置等の調整により実現される。
【００３５】
なお、吐水部材１５の後側部分４１には、図５、図６に示すように、前側部分３９と後側部分４１の境界位置にて浴槽２１０内に面する縁端面８７が設けられる。縁端面８７は後側部分４１の左右方向Ｘ両側と上側とに設けられる。上側の縁端面８７には、図８に示すように、前側に突き出るひさし部８９が設けられる。ひさし部８９は、ケース本体５３の上壁部５７の後端６５から前側にかけての一部を覆うように設けられる。また、ひさし部８９は、図９に示すように、ケース本体５３の左右方向両端にある挿入口７３より外側にはみ出るように設けられる。
【００３６】
図１０は装置本体１１の斜視図である。
外装カバー２１は、装置本体１１の前面を構成するカバー前部９１と、その側面の一部を構成するカバー側部９３と、装置本体１１の上面の一部を構成するカバー上部９５と、を有する。
【００３７】
図１１は装置本体１１の正面図である。
カバー前部９１には導出口９７が形成される。導出口９７は、吐水部材１５の吐出口３１や照明器１７の発光面８５の前方に配置される。導出口９７は、吐出口３１から吐き出される吐水流Ｗと干渉しないように、吐出口３１より左右方向Ｘ両側に広がるように形成される。カバー前部９１は、照明器１７の一部とともに、吐水部材１５の左右方向Ｘ両端部１５ａを、浴槽２１０内に面する前側から覆うように配置される。
【００３８】
カバー上部９５は、図５に示すように、吐水部材１５の前側部分３９とともに、照明器１７全体を上側から覆うように配置される。吐水部材１５の後側部分４１の上面４１ａとカバー上部９５の上面９５ａとは互いに面一となるように設けられる。カバー側部９３は、図示しないが、吐水部材１５の前側部分３９とともに、照明器１７全体を横側から覆うように配置される。
【００３９】
外装カバー２１と吐水部材１５には、図６、図８に示すように、それぞれ前後方向Ｙに対向する合わせ面１１１、１１３が設けられる。外装カバー２１の合わせ面１１１（以下、第１合わせ面１１１という）はカバー側部９３やカバー上部９５の後端面により構成される。吐水部材１５の合わせ面１１３（以下、第２合わせ面１１３という）は、吐水部材１５の後側部分４１の縁端面８７により構成される。外装カバー２１と吐水部材１５は、各合わせ面１１１、１１３を突き合わせた状態で組み付けられる。
【００４０】
図８に示すように、カバー上部９５の第１合わせ面１１１を含む後端部１１５には前方に凹む固定溝部１１７が形成される。固定溝部１１７には吐水部材１５のひさし部８９が差し込まれる。固定溝部１１７へのひさし部８９の差し込みにより、これらの間での固定度が高くなる。
【００４１】
図６、図７に示すように、前側部分３９の側部には左右方向Ｘ外側に突き出る突辺部１１９が設けられる。図１２（ａ）は突辺部１１９とカバー側部９３の構成を示す平面断面図であり、図１２（ｂ）はこれらを組み合わせた状態を示す図である。突辺部１１９の前後方向Ｙの途中位置には被係合部１２１が設けられる。被係合部１２１は凹部により構成される。外装カバー２１のカバー側部９３の内部には、突辺部１１９と対向する位置に嵌合溝部１２３が設けられ、被係合部１２１と対向する位置に係合部１２５が設けられる。係合部１２５は凸部により構成される。嵌合溝部１２３内には突辺部１１９が嵌め合わされ、被係合部１２１内には係合部１２５が嵌め合わされ、これらの係合により外装カバー２１が吐水部材１５に固定される。
【００４２】
外装カバー２１の組み付け時、カバー側部９３の係合部１２５は吐水部材１５の被係合部１２１と係合する係合位置にスナップフィットにより配置される。つまり、この組み付け時、突辺部１１９と係合部１２５の係合により一対のカバー側部９３が押し広げられるように弾性変形し、カバー側部９３の係合部１２５が係合位置まで達すると、復元力により係合部１２５が被係合部１２１内に収まるように変位する。外装カバー２１は吐水部材１５に脱着可能に取り付けられることになる。
【００４３】
なお、本図では図示しないが、隙間埋め部材１９（図６参照）は、吐水部材１５の照明載せ部４３と外装カバー２１との間の隙間１２７を埋めるために設けられる。これにより、照明載せ部４３と外装カバー２１の間に水が溜まり難くなり、そこを衛生的に保てる。
【００４４】
図９に示すように、ケース本体５３の背壁部６１からは、その長手方向の一端寄りの箇所から、発光部材４７に給電等するための電気ケーブル１２９が引き出される。吐水部材１５の後側部分４１には電気ケーブル１２９を通すためのケーブル孔１３１が形成される。ケーブル孔１３１は、図７に示すように、吐水部材１５の左右方向Ｘの両側に形成される。
【００４５】
図１３は電気ケーブル１２９とケーブル孔１３１を概略的に示す図である。
ケーブル孔１３１は吐水部材１５の下面に開口し、浴槽２１０の取付面２１７にはケーブル孔１３１の開口位置と対向する箇所に引出孔１３３が形成される。吐水部材１５のケーブル孔１３１と浴槽２１０の引出孔１３３内には筒状のケーブルブッシュ１３５が挿通される。ケース本体５３から引き出される電気ケーブル１２９はケーブルブッシュ１３５を通して引出孔１３３から浴槽２１０の裏面に引き出される。電気ケーブル１２９は制御装置（図示せず）に接続され、発光部材４７は制御装置により制御される。
【００４６】
以上の実施形態に係る吐水装置１０の動作及び作用効果を説明する。
吐水部材１５では、図５に示すように、予め定めた流量の水がポンプから圧送され、その水が吐出口３１に送り出され、吐出口３１から膜状の吐水流Ｗとして吐き出される。この吐水流Ｗには照明器１７から照明光が照射される。
【００４７】
このとき、入浴者は、図１に示すように、その背中を浴槽２１０の背側面２１３に当ててもたれた状態で、枕部材１０１に頭部を載せてくつろいだ姿勢をとれる。この姿勢で肩や首に吐水流Ｗがあたり、その吐水流Ｗにより打たせ湯に似た心地よい刺激が得られる。また、吐水流Ｗが照射されるため、吐水流Ｗのかかる手等の身体の一部や着水箇所等が光り、独特の視覚効果を楽しめる。よって、これらが相まって、入浴者にさらなるリラックス効果を与えることが可能となる。特に、入浴者は、頭部の重みを枕部材１０１にゆだねることができるため、頭部を含めた全身の力を抜いた状態で入浴でき、精神的、肉体的な負担が抑えられ、効果的にリラックス効果を与えられる。また、吐出口３１からは美観に優れた膜状の吐水流Ｗが吐き出されるため、視覚効果を通じてさらなるリラックス効果を与えられる。
【００４８】
また、収容ケース４９には、図８に示すように、上方から加わる荷重を支持する荷重支持部６３として前壁部５９や背壁部６１が設けられ、収容ケース４９に上方から加わる荷重に対して荷重支持部６３により効果的に抵抗できる。よって、装置本体１１上に枕部材１０１を挟んで入浴者の頭部を載せて用いる場合のように、リラックス効果を得やすい姿勢で用いる場合でも、収容ケース４９に加わる荷重に対する強度、耐久性を荷重支持部６３により確保し易くなる。このため、さらなるリラックス効果を与えるのに適した吐水装置１０を提供できる。
【００４９】
また、発光部材４７は、収容ケース４９の変形し難い荷重支持部６３としての背壁部６１に取り付けられる。よって、他の部位に取り付けるよりも発光部材４７に負荷が加わり難くなり、照明器１７を長寿命化できる。
【００５０】
また、ケース本体５３の背壁部６１は上壁部５７及び下壁部５５の後端６５より前方にずれた位置にてこれらに接続されるため、収容ケース４９の全体サイズはそのままにしつつ、上壁部５７の他の壁部５９、６１との接続部間の距離を小さくできる。よって、上壁部５７の撓み変形を抑え易くなり、ケース本体５３の強度、耐久性が更に向上する。また、ケース本体５３の背面側の放熱空間６７により放熱性が高められるため、放熱性の確保のために吐水装置１０全体を大型化せずともよくなり、装置全体の小型化を図れる。また、背壁部６１に発光部材４７が取り付けられるため、収容ケース４９の全体サイズはそのままにしつつ、光源４５を発光面８５に近づけることができ、より強い光を吐水流Ｗに照射できる。
【００５１】
また、ケース本体５３の横断面形状は線対称となるように形成されるため、以下の利点がある。浴室内の電気配線のレイアウトに対応し易くするうえでは、装置本体１１からの電気ケーブル１２９の引出位置を変えられるとよい。本形態に係る吐水部材１５では、左右のケーブル孔１３１（図７参照）の何れかに電気ケーブル１２９を通すことで、ケーブル引出位置を変えられる。つまり、ケーブル引出位置を左側にする左勝手の場合と、右側にする右勝手の場合の何れかを選択できる。このとき、本形態に係る照明器１７では、ケース本体５３を前後方向Ｙの方向軸周りに反転させて用いるだけで、左勝手、右勝手の何れの場合にも対応できる。また、そのように反転させて用いる場合でも、吐水部材１５に対するケース本体５３の相対的な位置関係を同じにでき、その位置関係の変化による性能の変化を抑えられる。ここでの性能の変化とは、照明器１７による照射範囲Ｓ１や、上壁部５７の勾配の変化による排水性の変化等である。
【００５２】
また、外装カバー２１のカバー前部９１は照明器１７を前側から覆うように配置される。よって、装置本体１１上に枕部材１０１を挟んで入浴者の頭部が載る場合、前側から加わる荷重を外装カバー２１のカバー前部９１により受けられる。このため、照明器１７に直接に負荷が加わり難くなり、照明器１７を長寿命化できる。このとき、カバー前部９１に前側から加わる荷重は、主として、外装カバー２１の第１合わせ面１１１から吐水部材１５の第２合わせ面１１３を通して、その吐水部材１５の後側部分４１に伝達される。
【００５３】
また、外装カバー２１のカバー上部９５は照明器１７を上方から覆うように配置される。よって、装置本体１１上に枕部材１０１を挟んで入浴者の頭部が載る場合、上側から加わる荷重を外装カバー２１のカバー上部９５により受けられる。このため、照明器１７に直接に負荷が加わり難くなり、照明器１７を長寿命化できる。このとき、カバー上部９５に加わる荷重は、主として、カバー上部９５から吐水部材１５のひさし部８９を通して、その吐水部材１５の後側部分４１に伝達される。
【００５４】
また、外装カバー２１がない場合、照明器１７と吐水部材１５との境界や、これらと隙間埋め部材１９との境界が露出してしまい、その意匠性に影響を及ぼす。この点、本形態では、これらの境界を外装カバー２１のカバー前部９１やカバー上部９５により覆い隠せるため、装置本体１１の外観がすっきりとしたものとなり、その意匠性が良好になる。
【００５５】
また、装置本体１１に衝撃荷重が加えられ、吐水部材１５の吐出口３１が瞬間的に変形してしまうと、吐出口３１から吐き出される吐水流Ｗの形状が乱れてしまい、その美観を損ないかねない。この点、本形態では、吐水部材１５上に照明器１７が取り付けられるため、その衝撃荷重を照明器１７により吸収できる。よって、そのような衝撃荷重が装置本体１１に加えられても、きれいな吐水流Ｗを吐き出し続けられる。
【００５６】
また、吐水部材１５の上面と外装カバー２１の上面とが互いに面一に設けられる。よって、装置本体１１の表面をタオル等で拭くとき、それらの境界に突っかかりがなくなるため、清掃時の作業性が良好になる。
【００５７】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００５８】
枕部材１０１は、嵌合凹部１０３が形成される例を説明したが、その形状は特に限られず、嵌合凹部１０３がなくともよい。装置本体１１は、その上部に枕載置部１３が設けられる例を説明したが、その上部に枕載置部１３がなくともよい。この場合、装置本体１１上に入浴者の頭部を直接に載せてもよい。このときでも、入浴者は装置本体１１上に頭部を載せてくつろいだ姿勢をとれ、入浴者にさらなるリラックス効果を与えることが可能となる。
【００５９】
吐水部材１５は、複数の分割部材により構成されずに、一体成形品により構成されてもよい。吐水部材１５は樹脂成形品である例を説明したが、他の金属鋳造品等でもよい。吐出口３１は横長なスリット状に形成され、吐出通路３３は吐出口３１の延びる方向に横長に形成された。これらの形状はこれに限られず、たとえば、円形状等に形成されてもよい。
【００６０】
照明器１７は吐水部材１５上に取り付けられる例を説明したが、吐水部材１５の下部に取り付けられてもよい。いずれにしても、吐出口３１に対して吐水部材１５の上側又は下側に照明器１７が取り付けられる。この他に、吐出口３１に対して吐水部材１５の左右方向の一方又は両方に照明器１７が取り付けられてもよい。
【００６１】
発光部材４７は、光源４５の他に回路基板５１を含む例を説明したが、光源４５のみにより構成されてもよい。発光部材４７は、一対の溝部７１と回路基板５１の側辺部５１ａとの係合により背壁部６１に取り付けられる例を説明した。発光部材４７を背壁部６１に取り付ける手段はこれに限られず、ねじ、接着等により取り付けられてもよい。
【００６２】
ケース本体５３は長尺状に形成されていればよく、その形状は特に限られない。ケース本体５３は、たとえば、前壁部５９を省略して三角形状に形成されてもよい。また、背壁部６１は下壁部５５及び上壁部５７の後端６５より前方にずれた位置にてこれらに接続されたが、上壁部５７の後端６５より前方にずれた位置に接続されつつ、下壁部５５の後端６５に接続されてもよい。
【００６３】
外装カバー２１の第１合わせ面１１１はカバー側部９３やカバー上部９５の後端面により構成される例を説明した。第１合わせ面１１１は、この他に、たとえば、カバー前部９１の背面により構成されてもよい。この場合、第１合わせ面１１１と前後方向に対向する吐水部材１５の第２合わせ面１１３は、前側部分３９の前面により構成される。
【００６４】
外装カバー２１は、凸部により構成される係合部１２５と、凹部により構成される被係合部１２１との係合により、吐水部材１５に脱着可能に取り付けられる例を説明した。係合部１２５と被係合部１２１は互いに係合できればよく、係合部１２５を凹部により構成して被係合部１２１を凸部により構成してもよいし、両者を凸部により構成してもよい。また、外装カバー２１は本発明において必須の構成要件とはならない。
【符号の説明】
【００６５】
１０  吐水装置、  １１  装置本体、  １３  枕載置部、  １５  吐水部材、  １７  照明器、  ２１  外装カバー、  ４５  光源、  ４７  発光部材、  ４９  収容ケース、  ５３  ケース本体、  ５５  下壁部、  ５７  上壁部、  ６３  荷重支持部、  ６５  後端、  １０１  枕部材、  ２００  浴槽装置、  ２１０  浴槽。
【図１】
2019055235.tif 000003
【図２】
2019055235.tif 000004
【図３】
2019055235.tif 000005
【図４】
2019055235.tif 000006
【図５】
2019055235.tif 000007
【図６】
2019055235.tif 000008
【図７】
2019055235.tif 000009
【図８】
2019055235.tif 000010
【図９】
2019055235.tif 000011
【図１０】
2019055235.tif 000012
【図１１】
2019055235.tif 000013
【図１２】
2019055235.tif 000014
【図１３】
2019055235.tif 000015
【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
浴槽内に水を吐き出す吐水口が形成される吐水部材と、前記吐水口から吐き出される吐水流を照射する照明器と、前記吐水部材に取り付けられる外装カバーと、を有する装置本体を備え、
前記外装カバーは、正面から見て、前記照明器の発光面の一部を覆い、かつ、前記発光面の他の部位が露出するように配置されることを特徴とする吐水装置。
【請求項２】
前記外装カバーは、正面から見て、前記発光面の上端から鉛直方向の一部に亘る範囲を覆うように配置されることを特徴とする請求項１に記載の吐水装置。
【請求項３】
前記吐出口は、正面から見て、横長なスリット状に形成され、
前記発光面は、正面から見て、前記吐出口の横幅方向に延在することを特徴とする請求項２に記載の吐水装置。
【請求項４】
請求項１〜３のいずれかに記載の吐水装置と、
前記吐水装置が取り付けられる浴槽と、を備えることを特徴とする浴槽装置。
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
浴槽内に水を吐き出す吐水口が形成される吐水部材と、前記吐水口から吐き出される吐水流を照射する照明器と、前記吐水部材に取り付けられる外装カバーと、を有する装置本体を備え、
前記外装カバーは、正面から見て、前記照明器の発光面の一部を覆い、かつ、前記発光面の他の部位が露出するように配置されることを特徴とする吐水装置。
【請求項２】
前記外装カバーは、正面から見て、前記発光面の上端から鉛直方向の一部に亘る範囲を覆うように配置されることを特徴とする請求項１に記載の吐水装置。
【請求項３】
前記吐水口は、正面から見て、横長なスリット状に形成され、
前記発光面は、正面から見て、前記吐水口の横幅方向に延在することを特徴とする請求項２に記載の吐水装置。
【請求項４】
請求項１〜３のいずれかに記載の吐水装置と、
前記吐水装置が取り付けられる浴槽と、を備えることを特徴とする浴槽装置。